(57)【要約】【課題】配管用貫通穴埋め作業での作業員の安全性の改善、作業時間の短縮、作業方法を簡略化して作業性の向上を目的とする、配管用貫通穴埋め治具を提供するものである。【解決手段】配管用貫通穴の中心部、もしくは中心部以外の部分を貫通する配管であっても、筒体の中の半球体の機能によって配管用貫通穴と配管との隙間をふさぐ事ができ、かつ、階上より配管にそって配管用貫通穴に挿入できることにより作業員の安全性の改善、作業時間の短縮、作業能率の向上を実現したものである。【選択図】図１
2006283536.tif 000002
【特許請求の範囲】
【請求項１】
配管を挟み込む割り型機構を持つ椀状の半球体と、割り型機構を持つ内側に椀状のくぼみを持つ筒体と、筒体に取付けられる取付金具と、スラブに引っかけることのできる引っかけ金具とで構成される配管用貫通穴埋め治具。
【請求項２】
筒体の中に組み込まれた半球体の機能によって配管と配管用貫通穴との隙間をふさぐことができる請求項１に記載された配管用貫通穴埋め治具。
【請求項３】
階上より配管用貫通穴を貫通した配管にそわせて配管用貫通穴に挿入できることを特徴とする請求項１又は請求項２に記載された配管用貫通穴埋め治具。
【請求項４】
スラブ上側に固定できる機能を具備することにより落下を防ぐことができる請求項１から請求項３に記載された配管用穴埋め治具。
【請求項５】
階上より配管用貫通穴に挿入し、配管と配管用貫通穴との隙間をモルタル充填することができる請求項１から請求項５に記載された配管用貫通穴埋め治具。
【発明の詳細な説明】
【技術分野】
【０００１】  本発明は、配管と配管用貫通穴との隙間を、モルタルで充填する際、使用する配管用貫通穴埋め治具に関するものである。
【背景技術】
【０００２】  特許第３１４３５５６号（以下、特許文献１と言う。）に「スラブＳの貫通穴Ｈに通された配管Ｐの周りにて、各支持片３が中心指向する様に基体２を筒状に変形される。（特許文献１の第００２４項）」及び、「上記埋設構造Ｕとは逆に基体２はその弾性復元力によって拡径されて外周面が配管Ｐの内周面に周接される。（特許文献１の第００２９項）」の記載がある。
特開平８−１３７９８（以下、特許文献２と言う。）には「モルタル受け部（１２）（１２）が界床スラブ（１）の下面に接する位置に容易に固定できる。この固定により、両モルタル受け部（１２）（１２）が円環状となって貫通孔（２）の内周面と配管（３）の外周面との間の環状空隙（５）の下側を封鎖する。（特許文献２の第００１２項）」の記載がある。
【特許文献１】  特許第３１４３５５６号
【特許文献２】  特開平  ８−１３７９８
【発明の開示】
【発明が解決しようとする課題】
【０００３】  しかしながら、特許文献１では、配管用貫通穴を貫通する配管が配管用貫通穴の中心部を貫通しなければならず、中心部以外の部分を貫通する配管にあっては適応できないと言う問題点がある。【０００４】  特許文献２では、階下からの作業であるため、脚立、もしくは簡易足場を使用しなければならず、作業の安全性、作業の利便性に問題がある。【０００５】  本発明は、配管用貫通穴埋め作業での作業員の安全性の改善、作業時間の短縮、作業方法を簡略化して作業性の向上を目的とする、配管用貫通穴埋め治具を提供せんとするものである。
【課題を解決するための手段】
【０００６】  本発明は、円面積と球面積との差に着眼し、円面積と球面積の差を利用することにより、発明を完成し、課題を解決した。【０００７】  本発明に言う配管用貫通穴埋め治具とは、建築物の上下階の境をなすスラブを貫通する各種配管を通すための配管用貫通穴に配管を行った後、配管と配管用貫通穴との隙間をモルタルで充填する際、使用するモルタル充填用受け治具を言う。【０００８】  本発明は、配管用貫通穴の中心部、もしくは中心部以外の部分を貫通する配管であっても、筒体の中の半球体の機能によって配管用貫通穴と配管との隙間をふさぐことができる、新規な配管用貫通穴埋め治具を実現したものである。【０００９】  請求項１に記載の配管用貫通穴埋め治具は、配管を挟み込む割り型機構を持つ椀状の半球体と、割り型機構を持つ内側に椀状のくぼみを持つ筒体と、筒体に取付けられる取付金具と、スラブに引っかけることのできる引っかけ金具とで構成される配管用貫通穴埋め治具である。【００１０】  請求項２に記載の配管用貫通穴埋め治具は、筒体の中に組み込まれた半球体の機能によって配管と配管用貫通穴との隙間をふさぐことができる前記段落０００９の項に記載された配管用貫通穴埋め治具である。【００１１】  請求項３に記載の配管用貫通穴埋め治具は、階上より配管用貫通穴を貫通した配管にそわせて配管用貫通穴に挿入できることを特徴とする前記段落０００９の項又は段落００１０の項に記載された配管用貫通穴埋め治具である。【００１２】  請求項４に記載の配管用貫通穴埋め治具は、スラブ上側に固定できる機能を具備することにより落下を防ぐことができる前記段落０００９から段落００１１に記載された配管用穴埋め治具である。【００１３】  請求項５に記載の配管用貫通穴埋め治具は、階上より配管用貫通穴に挿入し、配管と配管用貫通穴との隙間をモルタル充填することができる前記段落０００９から段落００１３に記載された配管用貫通穴埋め治具である。
【発明の効果】
【００１４】  本発明は配管用貫通穴の中心部、もしくは中心部以外の部分を貫通する配管であっても配管と配管用貫通穴との隙間をふさぐことができ、かつ階上からの作業によることで脚立もしくは簡易足場などを使用することはなく、作業員の安全性の改善、作業時間の短縮、作業方法の簡略化による作業能率の向上につながるものである。
【発明を実施するための最良の形態】
【００１５】  配管用貫通穴の中心部、もしくは中心部以外の部分を貫通する配管であっても、配管用貫通穴と配管との隙間をふさぐことができ、かつ、階上からの配管用貫通穴に挿入できることを実現した。【００１６】  図１は、１０ａ・１０ｂを貼接することで形成される半球体と２０ａ・２０ｂを合体することで形成される筒体と取付金具３０と引っかけ金具４０とで構成される、配管用貫通穴埋め治具の総体を示す。【００１７】  図２は、不燃性、若しくは難燃性をもつプラスチック樹脂を材質とするもので形成される。【００１８】  図２（ａ）は、椀の形をした底部に円弧をくりぬいた、半球を二つに割った半球体１０ａ・１０ｂ。接合する面１１は薄肉で形成され、接合する面１１の外側には両面テープ１２が貼り付けてあり、片方側の半球体の内側面にこれを貼着することで、外周の肉厚が均一となるように構成された半球体１０ａ・１０ｂとなる。【００１９】  図２（ｂ）のようにくりぬいた底部円弧１３には、肉薄の平面な部分１４を持ち、平面部分には中心に向かって、切り込み１５のある形状となっている。平面部分の内側の円弧の直径１６は配管用貫通穴を貫通する配管の直径より若干な小寸となっている。【００２０】  図３（ａ）は不燃性、若しくは難燃性をもつプラスチック樹脂を材質とするもので形成される。【００２１】  図３（ａ）のように内側を椀状２１にえぐられた筒体を２つに割り、筒体の上部に平板２２をもち、平板２２には上下の２つの取体ボタン２３を有する筒体２０ａ・２０ｂ。【００２２】  図３（ｂ）の断面で示すように、筒体２０ａ・２０ｂの内側は、椀状２１にえぐられた形状のものである。【００２３】  筒体２０ａ・２０ｂの側面には、凸部２４とその片方には凹部２５がつくられ、凸部２４と凹部２５を結合することによって、筒体２０ａ・２０ｂとなる。【００２４】  図４（ａ）は、金属を材質とするもので形成される。取付金具図１・３である。【００２５】  図４（ａ）取付金具３０の下方に上下２つの図３（ａ）・２３取付ボタンと同径の取付穴３１を持ち取付金具３０の左右両側に水平に並ぶ挿入筒３２を配置してある。【００２６】  図４（ｂ）は、金属を材質とするもので形成される引っかけ金具４０である。【００２７】  図４（ｂ）引っかけ金具４０は、ばねの形状を持ち、図４（ａ）取付金具３０の挿入筒３２に差し込む部分４２とスラブ上側に引っかける部分４３を備えている。【００２８】  建築物の上下階の境となすコンクリートスラブを貫通する配管用貫通穴は、コンクリート打設前に円の外径に規格を持つ紙製円筒形のボイドスリーブを取付け、コンクリート硬化後にボイドスリーブを取り除くことで配管用貫通穴が形成される。【００２９】  図５（ａ）のように、配管用貫通穴Ｈを貫通した配管Ｐを挟み込むように半球体１０ａ・１０ｂを両面テープ１２にて片方の半球体の内側面に貼接することにより外周面が均一となる半球体図５（ｂ）・１０ａ・１０ｂを構成する。【００３０】  図５（ｂ）のように、半球体１０ａ・１０ｂの外周面に筒体の内側の椀状のくぼみ２１を合接するように筒体２０ａ・２０ｂの凸部２４を凹部２５にはめ込み合体する。なお、配管用貫通穴Ｈの内径より、筒体２０ａ・２０ｂの外径が若干���小寸で形成されているため配管用貫通穴Ｈに挿入できるものにしてある。【００３１】  図５（ｃ）のように、合体された筒体２０ａ・２０ｂの上部に具備してある平板２２の取付ボタン２３に取付金具３０の取付穴３１を取付け、更に取付金具３０の左右両側の水平に並ぶ挿入筒３２にコンクリートスラブＳの厚さの状況に合わせ、引っかけ金具４０の差込部分４２を挿入筒３２に差し込む。【００３２】  以上の方法により、図５（ｄ）のような配管用貫通穴埋め治具を構成させ、配管用貫通穴Ｈを貫通した配管Ｐをつたわって配管用貫通穴Ｈに挿入しスラブＳ上側に引っかけ金具４０の引っかける部分４３をスラブＳ上側に固定することにより、配管用貫通穴埋め治具の落下を防ぐことができ、その後配管用貫通穴Ｈと配管Ｐとの隙間をモルタルＭで充填する。この方法により、配管用貫通穴埋め作業を完了することができる。【００３３】  図６（ａ）筒体２０ａ・２０ｂの内側の椀状のくぼみ２１の形状にすることで筒体２０ａ・２０ｂの中に組み込まれた半球体１０ａ・１０ｂが配管用貫通穴Ｈに挿入する際、半球体１０ａ・１０ｂの上方への脱着を防ぎ、又、モルタル充填時における半球体１０ａ・１０ｂの落下も防いでいる。【００３４】  配管用貫通穴Ｈに貫通される配管Ｐは、図６（ａ）のように配管用貫通穴Ｈの中心部を貫通する配管Ｐもあれば、図６（ｂ）のように配管用貫通穴Ｈの中心部以外の部分を貫通する配管Ｐもある。【００３５】  図６（ｂ）のように配管用貫通穴Ｈの中心部以外の部分を貫通する配管Ｐである場合、筒体２０ａ・２０ｂの中の半球体１０ａ・１０ｂが配管用貫通穴Ｈを垂直に貫通する配管Ｐに対して斜めに傾くことで半球体１０ａ・１０ｂの外周面によって配管用貫通穴Ｈと配管Ｐとの配管用貫通穴ＨのスラブＳ下側面の隙間をふさぐことができる。【００３６】  図６（ｂ）で示すように、配管用貫通穴Ｈの中心部以外の部分を貫通する配管Ｐによる半球体１０ａ・１０ｂの斜め傾きによって引き起こされる円周Ｒと楕円周Ｘの差異を解消する要素として、くりぬかれた半球体底部円弧１３の径は楕円周Ｘの外周を満たすことのできる径で形成されている。更に底部の平面部分１４の切り込み１５より平面部分１４を上方へ屈曲変形させることで円周Ｒと楕円周Ｘとの差異を解消することができる。以上のように筒体２０ａ・２０ｂにくみこまれた、半球体１０ａ・１０ｂの動きを楕円周が干渉することはなく、筒体２０ａ・２０ｂの中を半球体１０ａ・１０ｂが容易に動くことを可能にしたものである。【００３７】  上記各実施例において、配管用貫通穴の中心部もしくは中心部以外の部分を貫通する配管において階上から配管にそって配管用貫通穴に挿入することにより、配管用貫通穴と配管との隙間をふさぎ、モルタル充填できるようにした配管用貫通穴埋め治具を提供することができる。
【図面の簡単な説明】
【００３８】
【図１】  本発明に係わる配管用貫通穴埋め治具の総体の構成を示す斜視図である。
【図２】  配管用貫通穴埋め治具を実施例による分解を示す半球体斜視図
【図３】  配管用貫通穴埋め治具を実施例による分解を示す筒体斜視図
【図４】  配管用貫通穴埋め治具を実施例による分解を示す取付金具・引っかけ金具の斜視図
【図５】  配管用貫通穴埋め治具を実施例による取付の断面図
【図６】  配管用貫通穴埋め治具を実施例による機能の断面図
【符号の説明】
【００３９】  １０ａ・１０ｂ  半球体
１１            接合面
１２            両面テープ
１３            底部円弧
１４            平面部分
１５            切り込み
１６            内側円弧
２０ａ・２０ｂ  筒体
２１            椀曲くぼみ
２２            平板
２３            取付ボタン
２４            凸部
２５            凹部
３０            取付金具
３１            取付穴
３２            挿入筒
４０            引っかけ金具
４２            差し込み部
４３            引っかけ部
【図１】
2006283536.tif 000003
【図２】
2006283536.tif 000004
【図３】
2006283536.tif 000005
【図４】
2006283536.tif 000006
【図５】
2006283536.tif 000007
【図６】
2006283536.tif 000008